(57)【要約】【課題】療養費や医療費等の申請処理が極めて容易となり、かつ誤った申請処理が非常に少なくなる申請書電子署名処理方法及びシステムを提供する。【解決手段】患者に関するデータが記載された申請書の画像を表示し、この表示した申請書について患者が行なった署名の筆跡データをペンタブレットを介して取り込み、取り込んだ筆跡データを記憶しておく。【選択図】図３
2007148757.tif 000002
【特許請求の範囲】
【請求項１】
患者に関するデータが記載された申請書の画像を表示し、該表示した申請書について患者が行なった署名の筆跡をペンタブレットを介して筆跡データとして取り込み、該取り込んだ筆跡データを記憶しておくことを特徴とする申請書電子署名処理方法。
【請求項２】
前記申請書の画像表示を診療を終了した後に行なうことを特徴とする請求項１に記載の方法。
【請求項３】
前記署名を含む申請書の画像が表示された後、患者による該申請書の内容を確認した旨の入力を受け付けることを特徴とする請求項１又は２に記載の方法。
【請求項４】
前記申請書が療養費医療費支給申請書であり、前記患者に関するデータが、療養者氏名、療養者住所、療養者生年月日、保険者番号、保険証記号番号、負傷名、負傷年月日、初検年月日、施術年月日、被保険者名、費用額、請求額、一部負担額、柔道整復師名、及び柔道整復師コードの少なくとも１つを含むデータであることを特徴とする請求項１から３のいずれか１項に記載の方法。
【請求項５】
ローカル装置において前記署名の筆跡データを含む前記申請書のデータが作成され、作成されたデータがホスト装置に送られることを特徴とする請求項１から４のいずれか１項に記載の方法。
【請求項６】
前記ローカル装置が整骨院又は接骨院に配置された装置であり、前記ホスト装置が柔道整復師会又は接骨師会に配置された装置であることを特徴とする請求項５に記載の方法。
【請求項７】
画像表示手段と、患者に関するデータの記載された申請書の画像を前記画像表示手段に表示する手段と、前記画像表示手段に表示した申請書について患者が行なった署名の筆跡を筆跡データとして取り込むペンタブレットと、該取り込んだ筆跡データを記憶しておく記憶手段とを備えたことを特徴とする申請書電子処理システム。
【請求項８】
前記表示する手段が、前記申請書の画像表示を診療が終了した後に行なう手段であることを特徴とする請求項７に記載のシステム。
【請求項９】
前記署名を含む申請書の画像が表示された後、患者による該申請書の内容を確認した旨の入力を受け付ける手段をさらに備えたことを特徴とする請求項７又は８に記載のシステム。
【請求項１０】
前記申請書が療養費医療費支給申請書であり、前記患者に関するデータが、療養者氏名、療養者住所、療養者生年月日、保険者番号、保険証記号番号、負傷名、負傷年月日、初検年月日、施術年月日、被保険者名、費用額、請求額、一部負担額、柔道整復師名、及び柔道整復師コードの少なくとも１つを含むデータであることを特徴とする請求項７から９のいずれか１項に記載のシステム。
【請求項１１】
前記署名の筆跡データを含む前記申請書のデータを作成するローカル装置と、作成されたデータが該ローカル装置から送られるホスト装置とを備えたことを特徴とする請求項７から１０のいずれか１項に記載のシステム。
【請求項１２】
前記ローカル装置が整骨院又は接骨院に配置された装置であり、前記ホスト装置が柔道整復師会又は接骨師会に配置された装置であることを特徴とする請求項１１に記載のシステム。
【発明の詳細な説明】
【技術分野】
【０００１】
本発明は、例えば柔道整復等における療養費医療費支給申請書等の申請書の電子処理方法及びシステムに関する。
【背景技術】
【０００２】
整骨院又は接骨院等の柔道整復師の診療所においては、保険機関から療養費医療費の支払いを受けるために、診療を行なった都度、患者の自筆署名入りの療養費医療費支給申請書（レセプト）を作成する。レセプトに患者が自筆署名するのは、柔道整復師に療養費の受領委任を行なうためである。この紙ベースのレセプトと共に、その記載内容の一部が電子的データとして記録されたＦＤ（フレキシブルディスク）、ＣＤ（コンパクトディスク）又はＤＶＤ（デジタルバーサタイルディスク）等の記録媒体が、所属団体である整復師会又は接骨師会へ提出される（例えば、特許文献１）。
【０００３】
整復師会又は接骨師会側では、郵送されてきた記録媒体から電子的データを読み出してコンピュータに格納すると共に、これに対応する紙ベースのレセプトを取り出してその内容を付き合わせ、保険機関に対しての療養費支払い申請手続処理を行なう。具体的には、療養費請求書を作成しこれと療養費医療支給申請書とを保険機関へ送付して審査を依頼する。
【０００４】
【特許文献１】特開２００５−２５８７５１号公報
【発明の開示】
【発明が解決しようとする課題】
【０００５】
このような従来の療養費医療費支給申請手続においては、患者が署名したレセプトを紙ベースで提出する必要があることから、このレセプトを完全に電子化することができず、整骨院又は接骨院等の柔道整復師の診療所と整復師会又は接骨師会との間、さらに、整復師会又は接骨師会と保険機関との間で紙ベースでの煩雑なかつ誤りの生じやすい手続を余儀なくされていた。
【０００６】
従って本発明の目的は、療養費や医療費等の申請処理が極めて容易となり、かつ誤った申請処理が非常に少なくなる申請書電子署名処理方法及びシステムを提供することにある。
【課題を解決するための手段】
【０００７】
本発明によれば、患者に関するデータが記載された申請書の画像を表示し、この表示した申請書について患者が行なった署名の筆跡をペンタブレットを介して筆跡データとして取り込み、取り込んだ筆跡データを記憶しておく申請書電子署名処理方法が提供される。
【０００８】
本発明によれば、画像表示手段と、患者に関するデータの記載された申請書の画像を画像表示手段に表示する手段と、画像表示手段に表示した申請書について患者が行なった署名の筆跡を筆跡データとして取り込むペンタブレットと、取り込んだ筆跡データを記憶しておく記憶手段とを備えた申請書電子処理システムが提供される。
【０００９】
患者の署名を筆跡データとして取り込み記憶させておくことにより、申請書の全てを電子化できるので、用紙に印刷するのみで申請書を直ちに発行することができる。さらに、この申請書を本部へ電子データとして送付することが可能となる。その結果、本部さらに保険機関での事務処理が非常に容易となり、また、誤り発生も低減化することができる。
【００１０】
申請書の画像表示を診療を終了した後に行なうこと、又は、表示する手段が申請書の表示を診療が終了した後に行なう手段であることが好ましい。
【００１１】
署名を含む申請書の画像が表示された後、患者による申請書を確認した旨の入力を受け付けること、又は、署名を含む申請書の画像が表示された後、患者によるこの申請書の内容を確認した旨の入力を受け付ける手段をさらに備えたことも好ましい。
【００１２】
申請書が療養費医療費支給申請書であり、患者に関するデータが、療養者氏名、療養者住所、療養者生年月日、保険者番号、保険証記号番号、負傷名、負傷年月日、初検年月日、施術年月日、被保険者名、費用額、請求額、一部負担額、柔道整復師名、及び柔道整復師コードの少なくとも１つを含むデータであることが好ましい。
【００１３】
ローカル装置において署名の筆跡データを含む申請書のデータが作成され、作成されたデータがホスト装置に送られること、又は、システムが、署名の筆跡データを含む申請書のデータを作成するローカル装置と、作成されたデータがローカル装置から送られるホスト装置とを備えたことも好ましい。
【００１４】
ローカル装置が整骨院又は接骨院に配置された装置であり、ホスト装置が柔道整復師会又は接骨師会に配置された装置であることも好ましい。
【発明の効果】
【００１５】
本発明によれば、申請書の全てを電子化できるので、用紙に印刷するのみで申請書を直ちに発行することができる。さらに、この申請書を本部へ電子データとして送付することが可能となる。その結果、本部さらに保険機関での事務処理が非常に容易となり、また、誤り発生も低減化することができる。
【発明を実施するための最良の形態】
【００１６】
図１は本発明の一実施形態として、療養費医療費支給申請システムの構成を概略的に示すブロック図であり、図２は図１の柔道整復師の診療所のコンピュータにおけるデータファイル構造を示す図である。
【００１７】
図１において、１０は整骨院又は接骨院等の柔道整復師の診療所、２０は整復師会又は接骨師会、３０は柔道整復師の診療所１０及び整復師会又は接骨師会２０間を結ぶインターネット、４０は保険機関、５０は金融機関をそれぞれ示している。
【００１８】
柔道整復師の診療所１０には、ディスプレイ、キーボード、マウス等を備えたコンピュータ１１と、その周辺機器として、プリンタ１２と、手書き文字に筆跡を入力するペンタブレット１３と、指紋及びＩＣカードの複数認証センサ１４と、印章入力用スキャナ１５とが設けられている。
【００１９】
ペンタブレット１３は、用紙の上に署名の筆跡を残しながらその署名を筆跡データとして入力可能なペンタブレット（例えば株式会社ワコムのｉｎｔｕｏｓ３及びそのインクペン）で構成される。
【００２０】
複数認証センサ１４は、指紋センサとＩＣカードリーダとが一体的に構成された指紋ＩＣカード認証センサ（例えばサイレックス・テクノロジーのＭＵＳＢ２００−ＣＯＭＢＯ）で構成される。指紋センサとＩＣカードリーダとを別個に用意しても良い。また、ＩＣカードリーダに代えて磁気カードリーダを用いる場合もある。
【００２１】
整復師会又は接骨師会２０には、端末コンピュータ２１〜２４と、ホストコンピュータ（サーバ）２５と、プリンタ２６とが設けられている。
【００２２】
柔道整復師の診療所１０のコンピュータ１１には、図２に示すような構造を有するデータファイルが設けられている。即ち、各患者の保険証データを記憶しておく保険証データファイル１６ａ、各患者の各診療データを記憶しておく診療データファイル１６ｂ、各患者の自筆署名筆跡データを記憶しておく署名データファイル１６ｃ、各患者の磁気カード又はＩＣカードのデータ及び指紋等の生体データを記憶しておく本人確認データファイル１６ｄ、及び各患者又は各柔道整復師の印章イメージデータを記憶しておく印章データファイル１６ｅが設けられている。
【００２３】
図３は、図１の実施形態において、柔道整復師の診療所１０で行なわれる療養費医療費支給申請処理を説明するフローチャートである。
【００２４】
同図に示すように、その患者が初診である場合、まず、患者が提出した保険証から、療養者氏名、療養者住所、療養者電話番号、療養者生年月日、保険者番号、保険証記号・番号等の保険証データを入力する（ステップＳ１）。さらに、患者コード（キィーコード）を付与すると共にその患者の診察カード、即ち磁気カード又はＩＣカードを作成する（ステップＳ２）。この場合、必要に応じて、その患者のみが知り得るパスワードを登録する。この診察カードには、患者コード（及びパスワード）の他に、入力した保険証データの一部又は全部が記憶される。入力した患者コード、（登録したパスワード）及び入力した保険証データの全ては、保険証データファイル１６ａに記憶される（ステップＳ３）。
【００２５】
診療が行なわれた（ステップＳ４）後、負傷名、負傷年月日、初検年月日、施術年月日等の診療データを入力し、さらに費用額、請求額、一部負担額等を入力又は計算する（ステップＳ５）。このように入力又は計算して得た診療データは、診療データファイル１６ｂに記憶される（ステップＳ６）。一方、今回が初診ではない場合、即ち再診の場合は、施術又は診療を行なった（ステップＳ１８）後、ステップＳ５において、診療データを入力する。この場合も、費用額、請求額、一部負担額等を入力又は計算して得た診療データは診療データファイル１６ｂに記憶される。
【００２６】
その後、今回が初診かどうか判別し（ステップＳ７）、初診である場合は生体データである指紋データを認証センサ１４を用いて入力し登録する（ステップＳ８）。本実施形態では生体データとして指紋データを入力するように構成されているが、その他の生体データ、例えば掌紋データや虹彩データ等を用いても良い。初診ではない場合、即ち再診の場合は次のステップＳ８をスキップしてステップＳ９へ進む。
【００２７】
次いで、患者コードの手動入力及びパスワードの入力、磁気カード若しくはＩＣカードの認証センサ１４への挿入及びパスワードの入力、認証センサ１４を用いた指紋の入力、又は磁気カード若しくはＩＣカードの認証センサ１４への挿入及び認証センサ１４を用いた指紋の入力等を行なって照合することにより、患者の本人確認を行なう（ステップＳ９）。初診の場合は、直前のステップＳ８で生体データ登録を行なっているので、ここでの本人確認は不要であるかもしれない。
【００２８】
本人確認が成功すると、ディスプレイ上にその患者の患者データを表示する（ステップＳ１０）。即ち、療養費医療費支給申請書（レセプト）の画像を表示する。この場合、レセプトには、保険証データ、診療データ、柔道整復師名、及び柔道整復師コード又はその印章、さらに、本日の日付等が表示される。また、再診の場合は、初診時に記憶されている患者の署名も表示される。柔道整復師の印章は、印章入力用スキャナ１５によってあらかじめ入力され、印章データファイル１６ｅに印章イメージデータとして記憶されている。
【００２９】
その後、今回が初診かどうか判別し（ステップＳ１１）、初診である場合は患者が自筆署名を行ない、その筆跡をペンタブレット１３を介して入力する（ステップＳ１２）。この場合、タブレット上に用紙を載置しておきその上からボールペン付のタブレット用ペンで筆記することによって、用紙上にも筆跡が残るようにする。入力した筆跡データは署名データファイル１６ｃに記憶される（ステップＳ１３）。初診ではない場合、即ち再診の場合は、ステップＳ１２及びＳ１３をスキップしてステップＳ１４へ進む。
【００３０】
次のステップＳ１４では、例えば図４に示すごとき署名付のレセプトが表示されている状態で、患者が来院した旨及びレセプトに記載されている内容の診療又は施術を受けた旨の確認を例えば確認キーの押下又は認証センサ１４による指紋入力等によって行なう。次いで、その患者が来院したことを記録しておく、図５に示すごとき来院記録簿を作成する（ステップＳ１５）。同図に示すように、この来院記録簿には、例えば、来院日時、患者の氏名、患者コード及び保険者名が含まれている。
【００３１】
次いで、この来院の記録及び場合によっては診療データの一部を磁気カード又はＩＣカードからなる診察カードに記憶させる（ステップＳ１６）。
【００３２】
その後、来院の記録を診療データファイルに追加記憶させる（ステップＳ１７）。
【００３３】
このように、整骨院又は接骨院１０に配置されたローカル装置においては、患者の署名もデータとして取り込まれるので、レセプトの全てを電子化することができる。この作成されたレセプトの電子データは、インターネット３０を介して整骨院又は接骨院１０側のローカル装置から整復師会又は接骨師会２０側のホスト装置へ送られる。
【００３４】
整復師会又は接骨師会２０では、受け取ったレセプトの電子データをホストコンピュータ（サーバ）２５に格納する。サーバ２５は、各柔道整復師の診療所から送られてきてこのように格納されている療養費支給申請データを加工・集計し、加工・集計データとして格納すると共に、集計帳票を印刷する。
【００３５】
整復師会又は接骨師会２０の端末コンピュータ２２は、受け取ったレセプトと集計帳票の電子データを保険機関４０に送付する。保険機関４０では、送付されてきたレセプトに基づいて審査を行ない、支給を決定した場合には療養費決定通知書に記入を行なってその電子データを整復師会又は接骨師会２０に送ると共に、金融機関５０の整復師会又は接骨師会２０の口座に振込みを行なう。
【００３６】
整復師会又は接骨師会２０の端末コンピュータ２３は、保険機関４０から送られてくる療養費決定通知書の電子データを受け取る。また、端末コンピュータ２４は、金融機関５０との間で、入金データの受信や振込みデータの送信を行なう。
【００３７】
以上述べたように、本実施形態によれば、レセプトの全てが電子データ化されるため、用紙に印刷するのみでレセプトを直ちに発行することができる。また、通信網を介してその電子データを送付できるため、整復師会又は接骨師会２０等の本部さらに保険機関４０での事務処理が非常に容易となり、また、誤り発生も低減化することができる。もちろん、整復師会又は接骨師会２０や保険機関４０においても、用紙に印刷するのみでレセプトを直ちに発行することができる。
【００３８】
さらに、本実施形態によれば、患者は初診の際にのみ署名をすれば良く、その後は確認キーを押下するのみで良いため、手間がかからない。
【００３９】
さらにまた、指紋認証と磁気カード又はＩＣカードとで本人確認を行なっているため、確実な本人確認を行なうことができる。しかも、その本人確認した後、その本人によって来院した旨の確認が行なわれるので、保険請求のための来院記録を誤りのない確実なものとすることができ、保険の水増し請求等の防止を図ることが可能となる。また、そのために事務処理が煩雑となるような不都合も生じない。
【００４０】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【図面の簡単な説明】
【００４１】
【図１】本発明の一実施形態として、療養費医療費支給申請システムの構成を概略的に示すブロック図である。
【図２】図１の柔道整復師の診療所のコンピュータにおけるデータファイル構造を示す図である。
【図３】図１の実施形態における療養費医療費支給申請処理を説明するフローチャートである。
【図４】療養費医療費支給申請書の具体的な例を示す図である。
【図５】来院記録簿の一例を示す図である。
【符号の説明】
【００４２】
１０  整骨院又は接骨院
１１  コンピュータ
１２、２６  プリンタ
１３  ペンタブレット
１４  複数認証センサ
１５  印章入力用スキャナ
１６ａ  保険証データファイル
１６ｂ  診療データファイル
１６ｃ  署名データファイル
１６ｄ  本人確認データファイル
１６ｅ  印章データファイル
２０  整復師会又は接骨師会
２１、２２、２３、２４  端末コンピュータ
２５  ホストコンピュータ（サーバ）
３０  インターネット
４０  保険機関
５０  金融機関
【図１】
2007148757.tif 000003
【図２】
2007148757.tif 000004
【図３】
2007148757.tif 000005
【図４】
2007148757.tif 000006
【図５】
2007148757.tif 000007